(57)【要約】【課題】  費用を抑えつつ必要十分な断熱性能を有するサッシを提供する。【解決手段】  障子と、障子を納める枠体とを備え、障子は、框を四周框組みした内周にパネルを嵌め込んだものであり、枠体は、金属製の横枠及び縦枠を四周枠組みしたものであり、横枠及び縦枠の室外側面に気密材を取り付ける気密材ホルダが設けてあり、気密材は、障子の框に当接する気密部と、気密材ホルダの内周側の露出面を覆うカバー部とを有しており、枠体の内周側のコーナー部において、横枠の気密材の端面が縦枠の内周側面に当接し、縦枠の気密材の端面が横枠の気密材のカバー部に当接している。【選択図】      図１
2014001628.tif 000002
【特許請求の範囲】
【請求項１】
障子と、障子を納める枠体とを備え、障子は、框を四周框組みした内周にパネルを嵌め込んだものであり、枠体は、金属製の横枠及び縦枠を四周枠組みしたものであり、横枠及び縦枠の室外側面に気密材を取り付ける気密材ホルダが設けてあり、気密材は、障子の框に当接する気密部と、気密材ホルダの内周側の露出面を覆うカバー部とを有しており、枠体の内周側のコーナー部において、横枠の気密材の端面が縦枠の内周側面に当接し、縦枠の気密材の端面が横枠の気密材のカバー部に当接していることを特徴とするサッシ。
【請求項２】
障子と、障子を納める枠体とを備え、障子は、框を四周框組みした内周にパネルを嵌め込んだものであり、枠体は、金属製の横枠及び縦枠を四周枠組みしたものであり、横枠及び縦枠の室外側面に気密材を取り付ける気密材ホルダが設けてあり、気密材は、障子の框に当接する気密部と、気密材ホルダの内周側の露出面を覆うカバー部とを有しており、気密材のカバー部と、気密材の室内側に設けた樹脂製部材とで、枠体の内周側面を連続的に覆ってあることを特徴とするサッシ。
【発明の詳細な説明】
【技術分野】
【０００１】
本発明は、枠に断熱対策を施したサッシに関する。
【背景技術】
【０００２】
パネルを嵌め込んだ障子と、障子を納める枠体とを備えるサッシにおいて、断熱性を高めるために、枠体の全体を樹脂材料で構成したものがある（特許文献１）。
【先行技術文献】
【特許文献】
【０００３】
【特許文献１】特開２００８−７５２６７号公報
【発明の概要】
【発明が解決しようとする課題】
【０００４】
しかしながら、枠体の全体を樹脂材料で構成したサッシは、寒冷地以外の断熱性能をそれほど必要としない地域においては過剰な性能となり、樹脂材料は金属材料に比べて非常に高価であることから、費用対効果の点で問題があった。一方で、寒冷地以外であっても、枠体の全体を金属材料で構成したサッシでは、とくにパネル近傍での結露の発生が問題となるので、当該部分の断熱対策が必要であった。
【０００５】
本発明は、上記事情を鑑みたものであり、費用を抑えつつ必要十分な断熱性能を有するサッシを提供することを目的とする。
【課題を解決するための手段】
【０００６】
本発明のうち請求項１の発明は、障子と、障子を納める枠体とを備え、障子は、框を四周框組みした内周にパネルを嵌め込んだものであり、枠体は、金属製の横枠及び縦枠を四周枠組みしたものであり、横枠及び縦枠の室外側面に気密材を取り付ける気密材ホルダが設けてあり、気密材は、障子の框に当接する気密部と、気密材ホルダの内周側の露出面を覆うカバー部とを有しており、枠体の内周側のコーナー部において、横枠の気密材の端面が縦枠の内周側面に当接し、縦枠の気密材の端面が横枠の気密材のカバー部に当接していることを特徴とする。
【０００７】
本発明のうち請求項２の発明は、障子と、障子を納める枠体とを備え、障子は、框を四周框組みした内周にパネルを嵌め込んだものであり、枠体は、金属製の横枠及び縦枠を四周枠組みしたものであり、横枠及び縦枠の室外側面に気密材を取り付ける気密材ホルダが設けてあり、気密材は、障子の框に当接する気密部と、気密材ホルダの内周側の露出面を覆うカバー部とを有しており、気密材のカバー部と、気密材の室内側に設けた樹脂製部材とで、枠体の内周側面を連続的に覆ってあることを特徴とする。
【発明の効果】
【０００８】
本発明のうち請求項１の発明によれば、気密材のカバー部により、最も結露が発生しやすい横枠及び縦枠のパネル近傍部分（気密材ホルダの内周側の露出面）を覆い、確実に断熱して結露の発生を防ぐことができる。断熱のために新たな部材を要しないことから、取り付けの手間がかからず、費用も抑えられる。また、横枠及び縦枠の何れの気密材についても、端面は長手方向に対して垂直に切断したものでよく、加工が容易であるから、安価に止水性能の高いサッシを得ることができる。
【０００９】
本発明のうち請求項２の発明によれば、気密材のカバー部により、最も結露が発生しやすい横枠及び縦枠のパネル近傍部分（気密材ホルダの内周側の露出面）を覆い、確実に断熱して結露の発生を防ぐことができる。断熱のために新たな部材を要しないことから、取り付けの手間がかからず、費用も抑えられる。また、気密材のカバー部と、樹脂製部材とで、金属製の枠の内周側面を連続的に覆うことで、より断熱性能が向上する。この際、高価な樹脂材料は、気密材及び樹脂製部材のみに使用されているから、費用を抑えることができる。また、樹脂材料は着色容易であるから、各部を同一色とすることで、統一感のある外観とすることができる。
【図面の簡単な説明】
【００１０】
【図１】図３のＡ−Ａ線断面図であり、本発明のサッシの縦断面図である。
【図２】図３のＢ−Ｂ線断面図であり、本発明のサッシの横断面図である。
【図３】サッシの室外側正面図である。
【図４】気密材周辺部分の拡大断面図である。
【図５】気密材の拡大図である。
【図６】枠同士の当接部分の説明図である。
【発明を実施するための形態】
【００１１】
以下、本発明の実施の形態を図面に基づいて説明する。このサッシは、図１、図２及び図３に示すように、障子１と、障子１を納める枠体２とを備える突き出し窓である。障子１は、框１１（上框１１ａ、下框１１ｂ及び左右の縦框１１ｃ、１１ｄ）を四周框組みした内周にパネル１２を嵌め込んだものである。一方、枠体２は、枠２１（上下の横枠（上枠２１ａ、下枠２１ｂ）及び左右の縦枠２１ｃ、２１ｄ）を四周枠組みして躯体８の開口部に設けたものである。なお、以下において框１１と表記する場合には、上框１１ａ、下框１１ｂ及び左右の縦框１１ｃ、１１ｄの全てに共通する内容を表し、枠２１と表記する場合には、上枠２１ａ、下枠２１ｂ及び左右の縦枠２１ｃ、２１ｄの全てに共通する内容を表す。
【００１２】
障子１と枠体２とは、上框１１ａと上枠２１ａに設けたヒンジ６によって回動自在に連結されている。さらに枠体２の下枠２１ｂには開閉連動装置７が設けてあり、開閉連動装置７は、アーム７１とハンドル７２を備える。アーム７１は障子１の下框１１ｂと連結されていて、ハンドル７２を操作することで障子１を開閉できる。なお、障子１の框１１及び枠体２の枠２１は、何れもアルミニウムの押出型材であり、パネル１２は複合ガラスである。
【００１３】
そして、枠２１の室外側面には、室外側に開口する溝形状の気密材ホルダ２２が設けてあり、この気密材ホルダ２２には気密材３が取り付けてある。気密材３は、弾性を有する樹脂材料からなり、図４（上枠２１ａを表した図であるが、下枠及び縦枠についても同様である）及び図５に示すように、内外周方向に延びる見付面３３と、見付面３３の室内側に形成した挿通部３４と、見付面３３の内周側端から室外側に延出する気密部３１と、見付面３３の内周側端から室内側に延出するカバー部３２とを有し、挿通部３４が気密材ホルダ２２に長手方向から挿通してある。気密部３１は、室外側方向に延び、途中で屈曲して略外周側方向に延びる形状で、障子１の閉鎖時に、框１１の室内側面に当接して気密性を維持するものである。また、カバー部３２は、気密材ホルダ２２の内周側面に当接しており、その表面（内周側面）は平面状である。
【００１４】
さらに、枠２１の内周側面には、網材取付溝２３及び室内側溝２５が形成してある。網材取付溝２３は、内周側に開口しており、気密材ホルダ２２の底面と網材取付溝２３の室外側壁面とが共通している。一方、室内側溝２５は、網材取付溝２３の室内側に位置していて、内周側に開口しており、室内側溝２５には係合部２４を形成してあって、係合部２４は、網材取付溝２３の室内側壁面の室内側に形成した係合片２４ｐと、枠２１の室内側端に形成した係合片２４ｑからなる。そして網材取付溝２３には、枠体２に網材４１を張設するための網アタッチメント（樹脂製部材）４が挿入してある。より詳しくは、網アタッチメント４は、樹脂製で外周側に開口する挿入溝４２を有しており、網材４１は矩形で、その上下辺には肉厚の膨大部４３を有する。この膨大部４３を網アタッチメント４の挿入溝４２に挿入することで、網材４１の上下辺に網アタッチメント４が取り付けてある。そしてこれらの網アタッチメント４を上枠２１ａ及び下枠２１ｂの網材取付溝２３に挿入して網材４１を張設し、さらに左右の縦枠２１ｃ、２１ｄの網材取付溝２３にも網アタッチメント４を挿入し、網材取付溝２３の室外側壁面と網アタッチメント４とで網材４１を挟み込んで、網材４１の左右辺を縦枠２１ｃ、２１ｄに固定してある。また、係合部２４には、カバー材（樹脂製部材）５が取り付けてあり、カバー材５が室内側溝２５を塞いでいて、室内側溝２５とカバー材５に囲まれた空間を形成してある。カバー材５は、樹脂製であって、室内外方向に延びる平板部５１と、平板部５１の外周側に形成した二つの被係合片５２ｐ、５２ｑとを有し、枠２１の係合片２４ｐ、２４ｑにカバー材５の被係合片５２ｐ、５２ｑが係合している。なお、気密材３、網アタッチメント４及びカバー材５は、全て同一の色に着色してあり、また、気密材３のカバー部３２、網アタッチメント４及びカバー材５のそれぞれの内周側面が略面一となるように形成してある。
【００１５】
このように形成したサッシにおいては、最も結露が発生しやすい枠のパネル近傍部分（気密材ホルダの内周側の露出面）が、気密材のカバー部により覆われているので、確実に断熱して結露の発生を防ぐことができる。この際、断熱のために新たな部材を要しないことから、取り付けの手間がかからず、費用も抑えられる。また、気密材のカバー部と、樹脂製の網アタッチメントと、樹脂製のカバー材とで、金属製の枠の内周側面が連続的に覆われているので、特に断熱性能が高い。この際、高価な樹脂材料は、気密材、網アタッチメント及びカバー材のみに使用されているから、費用を抑えることができる。また、特に網アタッチメントについて、枠も樹脂製とすると、樹脂製部材同士の嵌合となり嵌合力が弱くなってしまうが、本発明のサッシは金属製の枠の網材取付溝に樹脂製の網アタッチメントを挿入しているので、嵌合力が強い。さらに、気密材、網アタッチメント及びカバー材が同一色であり、またそれぞれの内周側面が略面一であるから、外観に統一感がある。
【００１６】
また、上下枠２１ａ、２１ｂと左右の縦枠２１ｃ、２１ｄとの接合部分について、図６に示すように、枠体２の内周側のコーナー部において、上枠２１ａの気密材３の端面Ｅは縦枠２１ｄの内周側面Ｆに当接しており、縦枠２１ｄの気密材３の端面Ｇが上枠２１ａの気密材３の内周側面Ｈ（カバー部３２）に当接しており（他の三か所の接合部分についても同様である）、各枠の端部が気密材３によりシールされる構造となっている。この際、上下枠２１ａ、２１ｂ及び左右の縦枠２１ｃ、２１ｄの何れの気密材３についても、端面は長手方向に対して垂直に切断したものでよく、加工が容易であるから、安価に止水性能の高いサッシを得ることができる。
【００１７】
本発明は、上記の実施形態に限定されない。例えば、窓種は突き出し窓のほか、障子と枠体とを備えて気密材によりシールする窓であれば同様の構成が適用され得る。また、気密材の気密部の形状は、障子の閉鎖時に気密性を保つことができるものであればよく、カバー部の形状は、気密材ホルダの内周側面を覆って断熱するものであればよく、上記実施形態の形状に限定されない。さらに、枠に対する網アタッチメント及びカバー材の取り付け構造についても、確実に固定できればどのようなものでも構わない。また、特に高い断熱性能を必要としない場合には、カバー材を金属製としてもよい。
【符号の説明】
【００１８】
１  障子
２  枠体
３  気密材
４  網アタッチメント（樹脂製部材）
５  カバー材（樹脂製部材）
１１  框
１２  パネル
２１ａ  上枠（横枠）
２１ｂ  下枠（横枠）
２１ｃ，２１ｄ  縦枠
２２  気密材ホルダ
２３  網材取付溝
２４  係合部
２５  室内側溝
３１  気密部
３２  カバー部
４１  網材
【図１】
2014001628.tif 000003
【図２】
2014001628.tif 000004
【図３】
2014001628.tif 000005
【図４】
2014001628.tif 000006
【図５】
2014001628.tif 000007
【図６】
2014001628.tif 000008